(57)【特許請求の範囲】
【請求項１】
フランジ保持型のピストンホルダを備えた自動注入装置に、ピストンロッドを有さないシリンジを搭載するためのピストンアダプタであって、
前記自動注入装置のピストンホルダに連結されるピストンホルダ連結部と、前記シリンジのピストンヘッドに連結されるピストンヘッド連結部とを、ロッドの両端に備え、
前記ピストンホルダは、円筒状のプレッシャー部を有する形状であると共に、２つの爪を有する把持機構を備え、
前記ピストンホルダ連結部はフランジ部を有すると共に、前記プレッシャー部を挟んで固定する挟持機構を有し、該挟持機構は、固定時に上側となる固定側挟持突起と、下側となる可動側挟持突起とを有するものであり、
前記ロッドを軸と直角方向に貫通するネジと、前記ロッドの固定時に上側となる位置に配置されたつまみと、を更に備え、
該つまみを回して前記ネジを締めることで、前記可動側挟持突起と固定側挟持突起とで前記プレッシャー部が上下から挟まれ、かつ、この状態で、前記フランジ部が前記把持機構により左右から把持されることを特徴とするピストンアダプタ。
【請求項２】
前記可動側挟持突起が爪状の係止部を有し、
固定時に前記爪状の係止部と前記フランジ部により前記プレッシャー部の上面と底面を挟む、請求項１に記載のピストンアダプタ。
【請求項３】
前記固定側挟持突起及び前記可動側挟持突起は、前記プレッシャー部と接触する面が円弧状に形成されている、請求項１又は２に記載のピストンアダプタ。
【請求項４】
前記シリンジのピストンヘッドは、把持することのできる突起を有し、前記ピストンヘッド連結部は、開閉可能な可動部、およびこの可動部と共に前記突起を収納する凹部を形成する固定部とを有し、可動部が閉じた状態のときに突起を把持してピストンヘッドの脱落を防止する請求項１〜３のいずれかに記載のピストンアダプタ。
【請求項５】
ピストンヘッドの前記突起は、円盤を円柱でピストンヘッドに固定した形状であり、ピストンアダプタの前記可動部は、この突起と係合する爪を有することを特徴とする請求項４記載のピストンアダプタ。
【発明の詳細な説明】
【０００１】
【発明の属する技術分野】
本発明は、各種のシリンジを自動注入装置に搭載可能にするためのシリンジ搭載補助治具に関する。
【０００２】
【従来の技術】
医療用を初めとする多様な分野において、液体の注入にシリンジが用いられている。Ｘ線ＣＴ撮影の造影剤、ＭＲＩ（磁気共鳴画像診断装置）用の造影剤のような粘度の高い薬液の注入には、高い圧力を要し、人手で操作するのが困難であったり、非常に手間が掛かったりする。そこで自動注入装置等の機械的なシリンジ駆動機構を用いて注入することが一般的である。図１０は、そのような自動注入装置１０にシリンジ２０を装着する様子を示したものである。自動注入装置１０は、シリンダホルダ１１、ピストンホルダ１２、内部にモーター（図示していない）を備え、シリンダホルダ１１はフランジ２２を保持することよってシリンジ外筒２１を固定し、ピストンホルダ１２は爪状の把持機構１２ｂによりピストンフランジ２４を保持する。モーターによってピストンホルダを前進または後退させることにより、ピストンロッド２３をシリンジ外筒に対して相対移動させて、液体の注入（液体のシリンジからの排出）または吸引を行うことができる。図１１は、自動注入装置にシリンジを装着した様子を示す図である。
【０００３】
また、図１２に示すように、この自動注入装置に、サイズの小さいシリンジを装着するときは、取り外し可能なシリンダアダプタ１３（シリンジに対してはシリンダホルダとして機能する）に、シリンジ外筒を装着し、さらに自動注入装置１０に装着する。図１３に、シリンジが自動注入装置に装着された様子を示す。また、図１３では、ピストンフランジ２４がピストンホルダ１２により保持されている。
【０００４】
一方、シリンジの型によっては図１４に示すシリンジ３０のように、ピストンロッドを持たないものもある。この型では、造影剤等の薬液を手動で注入することが不可能なので、ピストンヘッド３１の後端に設けられた突起３２（円盤とそれをつなぐ円柱からなる）を保持する機構を有する専用の自動注入装置が用いられる。従って、シリンジ３０のような型のシリンジを図１０〜１３に示したような自動注入装置に搭載することはできず、使用者は自動注入装置にあったシリンジを用意しなければならなかった。
【０００５】
【発明が解決しようとする課題】
本発明は、このような従来の問題点に鑑みてなされたものであり、ピストンロッドを有するシリンジ用の自動注入装置に対して、ピストンロッドのない型のシリンジを搭載可能にする補助治具を提供することを目的とする。
【０００６】
【課題を解決するための手段】
本出願の発明は、以下に示すとおりである。
【０００７】
〔１〕  フランジ保持型のピストンホルダを備えた自動注入装置に、ピストンロッドを有さないシリンジを搭載するためのピストンアダプタであって、
前記自動注入装置のピストンホルダに連結されるピストンホルダ連結部と、前記シリンジのピストンヘッドに連結されるピストンヘッド連結部とを、ロッドの両端に備え、
前記ピストンホルダは、円筒状のプレッシャー部を有する形状であると共に、２つの爪を有する把持機構を備え、
前記ピストンホルダ連結部はフランジ部を有すると共に、前記プレッシャー部を挟んで固定する挟持機構を有し、該挟持機構は、固定時に上側となる固定側挟持突起と、下側となる可動側挟持突起とを有するものであり、
前記ロッドを軸と直角方向に貫通するネジと、前記ロッドの固定時に上側となる位置に配置されたつまみと、を更に備え、
該つまみを回して前記ネジを締めることで、前記可動側挟持突起と固定側挟持突起とで前記プレッシャー部が上下から挟まれ、かつ、この状態で、前記フランジ部が前記把持機構により左右から把持されることを特徴とするピストンアダプタ。
【０００８】
〔２〕  前記可動側挟持突起が爪状の係止部を有し、
固定時に前記爪状の係止部と前記フランジ部により前記プレッシャー部の上面と底面を挟む、上記〔１〕に記載のピストンアダプタ。
【０００９】
〔３〕  前記固定側挟持突起及び前記可動側挟持突起は、前記プレッシャー部と接触する面が円弧状に形成されている、上記〔１〕又は〔２〕に記載のピストンアダプタ。
【００１１】
〔４〕  前記ピストンヘッドは、把持することのできる突起を有し、前記ピストンヘッド連結部は、開閉可能な可動部、およびこの可動部と共に前記突起を収納する凹部を形成する固定部とを有し、可動部が閉じた状態のときに突起を把持してピストンヘッドの脱落を防止する上記〔１〕〜〔３〕のいずれかに記載のピストンアダプタ。
【００１２】
〔５〕 ピストンヘッドの前記突起は、円盤を円柱でピストンヘッドに固定した形状であり、ピストンアダプタの前記可動部は、この突起と係合する爪を有することを特徴とする上記〔４〕記載のピストンアダプタ。
【００１３】
以上のような本発明のピストンアダプタを用いることにより、従来、搭載が不可能であったピストンロッドのない型のシリンジを、ピストンロッドを有するシリンジ用の自動注入装置に搭載ができる。特に、造影剤等の薬液は、シリンジに薬液が充填されたプレフィルドシリンジの形態でも多く供給されており、一つの自動注入装置に異なる型のシリンジが搭載できることにより、プレフィルドシリンジの選択の幅が広がり、極めて便利である。
【００１４】
【発明の実施の形態】
前述のとおり、本発明のピストンアダプタは、自動注入装置のピストンホルダに連結されるピストンホルダ連結部と、シリンジのピストンヘッドに連結されるピストンヘッド連結部とを有するものである。
【００１５】
図１に示すピストンアダプタ３３は、本発明の１例である。
【００１６】
ピストンアダプタ３３は、ピストンホルダ連結部３４とピストンヘッド連結部３５とをそれぞれ両端側に有し、その中間は剛体のロッド３６で構成されている。
【００１７】
ピストンホルダ連結部３４は、フランジ部３７と挟持突起（固定側挟持突起３８、可動側挟持突起３９）を有する。フランジ部３７は、ピストンロッドを有するシリンジのピストンフランジ２４（図１０）に相当する部分で、自動注入装置のピストンホルダ１２（図１０）が保持できるような構造である。従って、フランジ部３７は、通常ピストンホルダ１２のプレッシャー部１２ａの平面と対向できる平面と、ピストンホルダの把持機構１２ｂ（図１０）が把持できる形状（ロッドからはみ出しているフランジ幅とフランジ厚さ）に形成されている必要がある。把持機構１２ｂは、通常のシリンジのピストンフランジを把持するのと同じように、プレッシャー部１２ａの平面と協働してピストンアダプタのピストンホルダ連結部のフランジ部３７を把持して固定する。
【００１８】
可動挟持突起３９は、ロッド３６を軸と直角方向に貫通する孔を通したネジ４０で止められ、ネジを緩めた状態でピストンアダプタの軸方向に前後に動かすことができる（図１（ａ）、（ｂ）参照）。
【００１９】
そして、ピストンホルダに連結するときは、図２に示すように可動挟持突起３９を後退させた状態で、ピストンアダプタのフランジ部３７の平坦面をピストンホルダのプレッシャー面と合わせる。この様子が図３（ａ）である。この例のピストンホルダの把持機構１２ｂは、閉じた状態（図３（ａ）の状態）にバネ等により付勢されている開閉可能な２つの爪を有し、フランジ部３７を挟んで固定している。次に、図３（ｂ）に示すように、可動側挟持突起３９をネジ４０とつまみ４１と共に前進させ、つまみ４１によりネジ４０を締めて、固定側挟持突起３８と可動側挟持突起３９でピストンホルダのプレッシャー部１２ａの円筒面を上下から挟んでしっかりと固定することができる。図４は、固定された様子を示す図である。固定側挟持突起３８および可動側挟持突起３９は、ピストンホルダと接触する面が円弧状に形成されていることにより、より確実に固定できる。
【００２０】
図１５に、ピストンホルダ連結部の異なる実施形態を示す。この形態では、可動挟持突起５２が爪状の係止部５３を有する。図１６は係止部５３の拡大斜視図であり、この図に示すように、係止部５３は、プレッシャー部１２ａの円筒底面と係合するように平坦部５４有している。図１５（ａ）の状態から可動挟持突起５２を前方に移動し、図１５（ｂ）に示すようにプレッシャー部１２ａの上面をフランジ部３７に押し付けながら、底面に係止部５３を掛けた状態でつまみ４１を回してネジを締めて固定する。このように、ピストンホルダのプレッシャー部１２ａを円筒状（図に示すように、円筒の底面の直径より高さの方が短い方が好ましい。）であるときに、円筒部の円筒面を挟むと共に、上面と底面を挟んで固定すると、使用時に極めて安定するので好ましい。
【００２１】
尚、ピストンホルダ連結部は、自動注入装置のピストンホルダに合わせて種々の変更が可能であり、上記の例では確実に固定するために、固定側挟持突起および可動側挟持突起を用いたが、ピストンホルダがフランジ部３７をしっかり保持できるのであれば必ずしも必要ではない。この形態のピストンアダプタを図１７（（ａ）上面図、（ｂ）平面図）に示す。即ち、このアダプタでは、ロッド３６に対して、フランジ部３７が設けられているだけである。このフランジは、ピストンロッドを有する通常のシリンジと同様の形状とすることができる。この形態では、ピストンホルダへの装着が極めて簡単である点で有利である。
【００２２】
次に、ピストンヘッド連結部３５の方を説明する。図６、図７はピストンヘッド連結部の１例を示す図であり、図５は、ピストンヘッド３１の突起３２とピストンアダプタが連結する様子を示す図である。
【００２３】
この例のピストンヘッド連結部は、爪４３、レバー４４、その支点４５、およびレバーを押していないときに常に図６の状態に復帰させるばね等の付勢部材（図示していない）等を有する可動部４６と、固定部４７とを有し、可動部と固定部とで、突起３２を収納する凹部４８を形成する。
【００２４】
図７に示すように、レバー４４を押すと支点４５を中心にして爪４３が持ち上がるので、図８に示すように突起３２を凹部４８に収納可能になる。
【００２５】
また、図１７で示す例のピストンヘッド連結部も図６で示した形態とほぼ同様である。図１８はピストンアダプタをピストンヘッド３１と連結した様子を示す図である。図１７および図１８を参照しながら説明すると、まず、レバー４４を押して支点４５の周りの回転により爪４３を持ち上げ、空間５６に突起３２を収納する。レバー４４を押すのをやめるとバネ４２の働きにより爪４３が戻る。爪４３は図１７（ｃ）に示すように突起３２の円盤部分より狭く且つ円盤をつなぐ円柱部分より広いスリット５７を有しているので、爪４３が戻った時には図１８に示すように突起３２との掛かりが生じる。また、ピストンヘッド３１を押すにはピストンアダプタのピストンヘッド連結側の平面５８でピストンヘッドを押すことで注入が行われる（他の例でも同じ。）。
【００２６】
また、図９の例では、ピストンヘッド連結部の固定部４９の掛かり部が除かれており、また可動部４８の爪５０の外面にテーパ面５１を設けたものである。また、爪５０が押されたときに支点を中心に内側に回転でき、押すのを止めたときに初期位置に戻るように弾性部材により付勢されている。そこで、突起３２を凹部４８に収納する際にレバーを押さなくても、そのまま前進させたときにテーパ−面５１が突起３２に押されて爪５０が内側に回転し、突起３２が収納される状態まで押されると爪と突起との掛かりが外れて、爪が初期位置に戻るようになるので、連結が非常に楽にできる。突起３２を外すときはレバーを押して爪５０を持ち上げながらピストンアダプタを後退させればよい。
【００２７】
尚、ピストンヘッド連結部の構成は、シリンジのピストンヘッドに設けられた突起の形状に合わせて適宜変更が可能である。
【００２８】
また、シリンジの外筒の径が異なるときは、図１２に示したようなシリンダアダプタ１３として、シリンジの外筒の径に合わせたものを用意することで、容易に搭載が可能になる。
【００２９】
【発明の効果】
本発明のピストンアダプタを用いることにより、従来、搭載が不可能であったピストンロッドのない型のシリンジを、ピストンロッドを有するシリンジ用の自動注入装置に搭載ができるようになる。その結果、造影剤等の薬液等のように、シリンジに充填されたプレフィルドシリンジの形態で供給されている薬液を、シリンジの型が異なっていても、一つの自動注入装置に搭載できるので、プレフィルドシリンジの選択の幅が広がり、極めて便利である。
【図面の簡単な説明】
【図１】本発明のピストンアダプタの１例を示す図である。
【図２】ピストンアダプタをピストンホルダに装着する様子を示す図である。
【図３】ピストンアダプタのピストンホルダ連結部を示す図である。
（ａ）フランジ部３７の平坦面をピストンホルダのプレッシャー面と合わせた様子を示す図である。
（ｂ）固定側挟持突起３８と可動側挟持突起３９でピストンホルダを上下から挟んでしっかりと固定した様子を示す図である。
【図４】ピストンアダプタとピストンホルダが連結された様子を示す図である。
【図５】ピストンヘッドの突起とピストンアダプタを連結する様子を示す図である。
【図６】ピストンアダプタのピストンヘッド連結部を示す図である。
（ａ）側面図
（ｂ）軸方向から見た前面図
【図７】ピストンアダプタのピストンヘッド連結部を示す図であり、レバーを押して可動部の爪が持ち上がった状態を示す図である。
（ａ）側面図
（ｂ）軸方向から見た前面図
【図８】爪を持ち上げて突起３２を凹部に収納する様子、または爪を持ち上げて突起を外す様子を示す図である。
【図９】ピストンアダプタのピストンヘッド連結部の異なる例を示す図である。
【図１０】自動注入装置に、シリンダアダプタを用いてシリンジを装着する様子を示す図である。
【図１１】自動注入装置にシリンジを装着した様子を示す図である。
【図１２】図１１、図１０で示した自動注入装置のシリンダホルダ（シリンダアダプタ）によるシリンジの保持、位置決めを説明する図である。
【図１３】シリンダアダプタの拡大図である。
【図１４】ピストンロッドを持たない型のシリンジを示す図である。
【図１５】ピストンアダプタのピストンホルダ連結部の異なる形態を示す図である。
（ａ）フランジ部３７の平坦面をピストンホルダのプレッシャー面と合わせた様子を示す図である。
（ｂ）固定側挟持突起３８と可動側挟持突起５２でピストンホルダを上下から挟むと共に、可動側挟持突起５２の爪状の係止部５３とフランジ部３７で円筒部の上面と底面を挟んでしっかりと固定した様子を示す図である。
【図１６】可動側挟持突起５２の爪状の係止部５３の拡大斜視図である。
【図１７】本発明のピストンアダプタの１例を示す図である。
（ａ）上面図
（ｂ）側面図；図（ｂ）の左側は図（ａ）中のＸ−Ｘ’断面である。
（ｃ）図（ｂ）のＡ方向からみた爪を示す図である。
【図１８】図１７のピストンアダプタとシリンジのピストンヘッドを連結した様子を示す図である。
【符号の説明】
１０  自動注入装置
１１  シリンダホルダ
１２  ピストンホルダ
１２ａ  ピストンホルダの円筒部
１２ｂ  ピストンホルダの把持機構
１３  シリンダアダプタ
１４  フランジ挿入溝
２１  シリンジ外筒
２２  フランジ
２３  ピストンロッド
２４  ピストンフランジ
２５  フランジカット部
３０  シリンジ
３１  ピストンヘッド
３２  突起
３３  ピストンアダプタ
３４  ピストンホルダ連結部
３５  ピストンヘッド連結部
３６  ロッド
３７  フランジ部
３８  固定側挟持突起
３９  可動側挟持突起
４０  ネジ
４１  つまみ
４２  バネ
４３  爪
４４  レバー
４５  支点
４６  可動部
４７  固定部
４８  可動部
４９  固定部
５０  爪
５１  テーパ面
５２  可動挟持突起
５３  爪状の係止部
５４  平坦部
５６  空間
５７  スリット
【図１】
0004473488.tif 000002
【図２】
0004473488.tif 000003
【図３】
0004473488.tif 000004
【図４】
0004473488.tif 000005
【図５】
0004473488.tif 000006
【図６】
0004473488.tif 000007
【図７】
0004473488.tif 000008
【図８】
0004473488.tif 000009
【図９】
0004473488.tif 000010
【図１０】
0004473488.tif 000011
【図１１】
0004473488.tif 000012
【図１２】
0004473488.tif 000013
【図１３】
0004473488.tif 000014
【図１４】
0004473488.tif 000015
【図１５】
0004473488.tif 000016
【図１６】
0004473488.tif 000017
【図１７】
0004473488.tif 000018
【図１８】
0004473488.tif 000019